(57)【要約】【課題】構造物本体側に取り付けられて膜体の端縁部を支持可能とする長尺の支持体を設けた膜構造物において、支持体に膜体の端縁部を支持させることを容易にさせて、膜構造物の組立作業を容易にさせる。【解決手段】膜構造物において、構造物本体３側に取り付けられて膜体６の端縁部５を支持可能とする長尺の支持体４が設けられる。支持体４は、長手方向に延びるよう形成された掛止孔３０と、掛止孔３０の長手方向の各部の内外を連通させるよう形成されたスリット３１とを有している。膜体６の端縁部５の厚さＤ１は膜体６の一般部の厚さよりも大きくされ、膜体６の端縁部５はスリット３１を通して掛止孔３０に挿入可能とされる。スリット３１の最小幅Ｗよりも外径Ｄ２が大きくされ、膜体６の端縁部５よりもスリット３１側における掛止孔３０の部分に、掛止孔３０の長手方向の端部から挿入可能とされる長尺体３６が設けられる。長尺体３６が可撓性とされる。【選択図】図１
2013096202.tif 000002
【特許請求の範囲】
【請求項１】
構造物本体側に取り付けられて膜体の端縁部を支持可能とする長尺の支持体を設け、この支持体が、その長手方向に延びるよう形成された掛止孔と、この掛止孔の長手方向の各部の内外を連通させるよう形成されたスリットとを有し、上記膜体の端縁部の厚さをこの膜体の一般部の厚さよりも大きくし、上記膜体の端縁部を上記スリットを通して上記掛止孔に挿入可能とし、上記スリットの最小幅よりも外径が大きくされ、上記膜体の端縁部よりも上記スリット側における上記掛止孔の部分にこの掛止孔の長手方向の端部から挿入可能とされる長尺体を設けた膜構造物において、
上記長尺体を可撓性にしたことを特徴とする膜構造物。
【請求項２】
上記掛止孔に挿入された上記膜体の端縁部と上記長尺体とのそれぞれ自由状態で、上記膜体の端縁部の近傍部分を挟み互いに対面する上記掛止孔の内面の部分と上記長尺体の外面の部分との間の最大隙間幅が上記膜体の端縁部の厚さよりも小さくなるようにしたことを特徴とする請求項１に記載の膜構造物。
【請求項３】
上記長尺体により端縁部が構成される他の膜体を設け、この他の膜体の端縁部の近傍部分が上記スリットを通過するようにしたことを特徴とする請求項１、もしくは２にに記載の膜構造物。
【請求項４】
上記膜体と他の膜体との離間距離を上記スリットから離れるに従い大きくなるようにしたことを特徴とする請求項３に記載の膜構造物。
【請求項５】
上記構造物本体側に上記支持体を締結により取り付ける締結具を設け、上記支持体の横断面視で、上記締結具の軸心に対し上記スリットの開口の中心を偏位させたことを特徴とする請求項１から４のうちいずれか１つに記載の膜構造物。
【請求項６】
請求項３に記載の膜構造物の組立方法であって、
まず、上記支持体の長手方向の各部の外方から、上記膜体の端縁部を上記支持体のスリットを通し掛止孔に挿入し、次に、上記膜体の端縁部よりも上記スリット側の上記掛止孔の部分にこの掛止孔の長手方向の端部から上記長尺体を挿入することを特徴とする膜構造物の組立方法。
【発明の詳細な説明】
【技術分野】
【０００１】
本発明は、構造物本体側に取り付けられて膜体の端縁部を支持可能とする長尺の支持体を設けた膜構造物、およびその組立方法に関するものである。
【背景技術】
【０００２】
上記膜構造物には、従来、下記特許文献１に示されるものがある。この公報のものによれば、膜構造物には、構造物本体側に取り付けられて膜体の端縁部を支持可能とする長尺の支持体が設けられる。この支持体は、その長手方向に延びるよう形成された掛止孔と、この掛止孔の長手方向の各部の内外を連通させるよう形成されたスリットとを有している。上記膜体の端縁部の厚さはこの膜体の一般部の厚さよりも大きくされ、上記膜体の端縁部は上記スリットを通して上記掛止孔に挿入可能とされている。また、上記スリットの最小幅よりも外径が大きくされ、上記膜体の端縁部よりも上記スリット側における上記掛止孔の部分にこの掛止孔の長手方向の端部から挿入可能とされる長尺体が設けられている。
【０００３】
上記膜構造物の組立方法につき説明すると、まず、上記支持体の長手方向の各部の外方から、上記膜体の端縁部を上記支持体のスリットを通し掛止孔に挿入させ、次に、上記膜体の端縁部よりも上記スリット側の上記掛止孔の部分に、この掛止孔の長手方向の端部から上記長尺体を挿入する。すると、上記膜体の端縁部が上記支持体のスリットを通し掛止孔から外部に抜け出ることは上記長尺体により防止されて、上記支持体により膜体の端縁部が支持される。これにより、上記膜体が張設されて、上記膜構造物の組立作業が終了する。
【先行技術文献】
【特許文献】
【０００４】
【特許文献１】実公昭５２−５４４３号公報
【発明の概要】
【発明が解決しようとする課題】
【０００５】
ところで、前記したように、長尺体は剛性のあるパイプ材により形成されている。このため、上記膜構造物の組立作業をする場合に、上記支持体の掛止孔の部分にこの掛止孔の長手方向の端部から上記長尺体を挿入させようとして移動させるときには、この長尺体は剛性であることにより、その移動軌跡の占有空間が大きくなりがちであると共に、この長尺体を取り扱うための作業動作も大きくなりがちである。よって、上記長尺体の取り扱いが煩雑になって、上記膜構造物の組立作業が煩雑になるおそれがある。
【課題を解決するための手段】
【０００６】
本発明は、上記のような事情に注目してなされたもので、本発明の目的は、構造物本体側に取り付けられて膜体の端縁部を支持可能とする長尺の支持体を設けた膜構造物において、上記支持体に膜体の端縁部を支持させることが容易にできるようにして、この膜構造物の組立作業が容易にできるようにすることである。
【０００７】
請求項１の発明は、構造物本体３側に取り付けられて膜体６の端縁部５を支持可能とする長尺の支持体４を設け、この支持体４が、その長手方向に延びるよう形成された掛止孔３０と、この掛止孔３０の長手方向の各部の内外を連通させるよう形成されたスリット３１とを有し、上記膜体６の端縁部５の厚さＤ１をこの膜体６の一般部の厚さよりも大きくし、上記膜体６の端縁部５を上記スリット３１を通して上記掛止孔３０に挿入可能とし、上記スリット３１の最小幅Ｗよりも外径Ｄ２が大きくされ、上記膜体６の端縁部５よりも上記スリット３１側における上記掛止孔３０の部分にこの掛止孔３０の長手方向の端部から挿入可能とされる長尺体３６を設けた膜構造物において、
上記長尺体３６を可撓性にしたことを特徴とする膜構造物である。
【０００８】
請求項２の発明は、図６に例示するように、上記掛止孔３０に挿入された上記膜体６の端縁部５と上記長尺体３６とのそれぞれ自由状態（図６中二点鎖線）で、上記膜体６の端縁部５の近傍部分を挟み互いに対面する上記掛止孔３０の内面の部分と上記長尺体３６の外面の部分との間の最大隙間幅Ｃが上記膜体６の端縁部５の厚さＤ１よりも小さくなるようにしたことを特徴とする請求項１に記載の膜構造物である。
【０００９】
請求項３の発明は、上記長尺体３６により端縁部３９が構成される他の膜体３８を設け、上記他の膜体３８の端縁部３９の近傍部分が上記スリット３１を通過するようにしたことを特徴とする請求項１、もしくは２に記載の膜構造物である。
【００１０】
請求項４の発明は、上記膜体６と他の膜体３８との離間距離を上記スリット３１から離れるに従い大きくなるようにしたことを特徴とする請求項３に記載の膜構造物である。
【００１１】
請求項５の発明は、図６に例示するように、上記構造物本体３側に上記支持体４を締結により取り付ける締結具２５を設け、上記支持体４の横断面視（図６）で、上記締結具２５の軸心２６に対し上記スリット３１の開口の中心４３を偏位させたことを特徴とする請求項１から４のうちいずれか１つに記載の膜構造物である。
【００１２】
請求項６の発明は、請求項３に記載の膜構造物の組立方法であって、
まず、上記支持体４の長手方向の各部の外方から、上記膜体６の端縁部５を上記支持体４のスリット３１を通し掛止孔３０に挿入し、次に、上記膜体６の端縁部５よりも上記スリット３１側の上記掛止孔３０の部分にこの掛止孔３０の長手方向の端部から上記長尺体３６を挿入することを特徴とする膜構造物の組立方法である。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、構造物本体側に取り付けられて膜体の端縁部を支持可能とする長尺の支持体を設け、この支持体が、その長手方向に延びるよう形成された掛止孔と、この掛止孔の長手方向の各部の内外を連通させるよう形成されたスリットとを有し、上記膜体の端縁部の厚さをこの膜体の一般部の厚さよりも大きくし、上記膜体の端縁部を上記スリットを通して上記掛止孔に挿入可能とし、上記スリットの最小幅よりも外径が大きくされ、上記膜体の端縁部よりも上記スリット側における上記掛止孔の部分にこの掛止孔の長手方向の端部から挿入可能とされる長尺体を設けた膜構造物において、
上記長尺体を可撓性にしているため、次の効果が生じる。
【００１６】
即ち、上記膜構造物の組立作業をする場合には、まず、上記支持体の長手方向の各部の外方から上記膜体の端縁部を上記支持体のスリットを通し掛止孔に挿入し、次に、上記掛止孔の部分にこの掛止孔の長手方向の端部から上記長尺体を挿入する。
【００１７】
ここで、上記発明によれば、長尺体は可撓性であるため、上記膜構造物の組立作業において、上記掛止孔の部分にこの掛止孔の長手方向の端部から上記長尺体を挿入するときには、この長尺体を予め小さい体積の塊となるよう纏めておき、その一端部から上記掛止孔の部分に挿入させてやればよい。よって、上記掛止孔の部分に長尺体を挿入させるときのこの長尺体の占有空間を小さく抑制できると共に、この長尺体を取り扱うための作業動作は小さくて足りることから、上記膜構造物の組立作業は容易にできる。
【００１８】
請求項２の発明は、上記掛止孔に挿入された上記膜体の端縁部と上記長尺体とのそれぞれ自由状態で、上記膜体の端縁部の近傍部分を挟み互いに対面する上記掛止孔の内面の部分と上記長尺体の外面の部分との間の最大隙間幅が上記膜体の端縁部の厚さよりも小さくなるようにしている。
【００１９】
このため、膜構造物の組立作業において、前記したように膜体の端縁部を支持体のスリットを通し掛止孔に挿入し、次に、この掛止孔の部分にその長手方向の端部から上記長尺体を挿入し、この挿入を進行させる場合に、上記掛止孔内で膜体の端縁部が長尺体よりもスリット側に不意に入れ替わることは上記長尺体の存在により防止される。よって、上記した掛止孔への長尺体の挿入の進行中に、上記膜体の端縁部が上記スリット側に不意に入れ替わってこのスリットを通し掛止孔の外部に抜け出してしまう、ということは確実に防止され、このため、上記膜構造物の組立作業は、より容易にできる。
【００２０】
請求項３の発明は、上記長尺体により端縁部が構成される他の膜体を設け、この他の膜体の端縁部の近傍部分が上記スリットを通過するようにしている。
【００２１】
このため、上記膜体と他の膜体との支持のために、一つの支持体が兼用される。よって、その分、膜構造物の構成を簡単にできると共に、膜構造物の組立作業が、より容易にできる。
【００２２】
請求項４の発明は、上記膜体と他の膜体との離間距離を上記スリットから離れるに従い大きくなるようにしている。
【００２３】
このため、上記膜体と他の膜体とを連続的に張設可能であることから、全体として面積が大きい膜構造物を容易に得ることができる。
【００２４】
請求項５の発明は、上記構造物本体側に上記支持体を締結により取り付ける締結具を設け、上記支持体の横断面視で、上記締結具の軸心に対し上記スリットの開口の中心を偏位させている。
【００２５】
このため、上記構造物本体の各所に対し支持体により膜体の端縁部と他の膜体の端縁部とを支持させる場合に、締結具の軸心と支持体のスリットの開口の中心との関連構成につき、より好ましいものを選択できる。よって、上記構造物本体の各部の種々構造にかかわらず、膜構造物の組立作業をより容易にできたり、膜構造物の膜体の外観上の見栄えをより向上させたりすることができる。
【００２６】
請求項６の発明は、請求項３に記載の膜構造物の組立方法であって、
まず、上記支持体の長手方向の各部の外方から、上記膜体の端縁部を上記支持体のスリットを通し掛止孔に挿入し、次に、上記膜体の端縁部よりも上記スリット側の上記掛止孔の部分にこの掛止孔の長手方向の端部から上記長尺体を挿入するというものである。
【００２７】
このため、上記した膜構造物の組立方法において、上記掛止孔の部分にこの掛止孔の長手方向の端部から上記長尺体を挿入するときには、まず、上記支持体の外部で上記他の膜体を把持してこの他の膜体の端縁部の近傍部分を上記スリットに挿入すると共に、上記長尺体の端部を上記掛止孔の端部に挿入し、次に、上記のように把持した他の膜体と共に長尺体を上記掛止孔の長手方向に向かって移動させてやればよい。よって、上記掛止孔の部分への上記長尺体の挿入と、その進行とが容易にできることから、その分、膜構造物の組立作業は更に容易にできる。
【図面の簡単な説明】
【００２８】
【図１】実施例１を示し、図４のI−I線矢視断面図である。
【図２】実施例１を示し、膜構造物の側面部分破断図である。
【図３】実施例１を示し、膜構造物の平面部分破断図である。
【図４】実施例１を示し、図３の部分拡大部分破断図である。
【図５】実施例１を示し、図４で示したものの斜視図である。
【図６】実施例２を示し、図１に相当する図である。
【発明を実施するための形態】
【００２９】
本発明の膜構造物に関し、構造物本体側に取り付けられて膜体の端縁部を支持可能とする長尺の支持体を設けた膜構造物において、上記支持体に膜体の端縁部を支持させることが容易にできるようにして、この膜構造物の組立作業が容易にできるようにする、という目的を実現するため、本発明を実施するための形態は、次の如くである。
【００３０】
即ち、膜構造物において、構造物本体側に取り付けられて膜体の端縁部を支持可能とする長尺の支持体が設けられる。この支持体は、その長手方向に延びるよう形成された掛止孔と、この掛止孔の長手方向の各部の内外を連通させるよう形成されたスリットとを有している。上記膜体の端縁部の厚さはこの膜体の一般部の厚さよりも大きくされ、上記膜体の端縁部は上記スリットを通して上記掛止孔に挿入可能とされている。また、上記スリットの最小幅よりも外径が大きくされ、上記膜体の端縁部よりも上記スリット側における上記掛止孔の部分にこの掛止孔の長手方向の端部から挿入可能とされる長尺体が設けられる。上記長尺体が可撓性とされている。
【実施例１】
【００３１】
本発明をより詳細に説明するために、その実施例１を添付の図１〜５に従って説明する。
【００３２】
図１〜５において、図中符号１は、テント式建物で例示される膜構造物である。この膜構造物１は、地面２上に立設される構造物本体３側と、この構造物本体３側に取り付けられる支持体４と、この支持体４に面方向の端縁部５が支持され、上記構造物本体３をその上方から覆うよう張設される膜体６とを備えている。
【００３３】
上記構造物本体３は、平面視（図３）で、矩形の各角部に位置するよう上記地面２上に立設される複数本（４本）の柱９と、それぞれ水平方向に延びて互いに隣り合う上記各柱９の上端部に架設され、平面視（図３）で、矩形枠状体を形成する複数本（４本）の主梁１０と、平面視（図３）で、上記膜構造物１の縦向き中心線１１を通り上記各柱９の上端部や各主梁１０に架設される副梁１２とを備えている。上記主梁１０は、上、下梁部材１４，１５と、これら上、下梁部材１４，１５を互いに連結する連結材１６とで構成され、全体としてトラス形状とされている。
【００３４】
上記中心線１１上にナット１９が配置され、このナット１９は上記各副梁１２に支持されている。また、上記ナット１９に螺合され、その捻回により昇降可能とされるジャッキボルト２０が設けられ、このジャッキボルト２０の上面には天板２１が取り付けられている。
【００３５】
前記支持体４は、上記各主梁１０の上面に沿ってそれぞれ水平方向に長く延びる金属製の棒状体であり、平面視で、矩形枠状体を形成するよう複数本（４本）設けられている。上記支持体４は、この支持体４の長手方向に延び、かつ、上記中心線１１側に向かって開口するよう形成される蟻溝形状の係合溝２４を有している。この係合溝２４に対し上記支持体４の長手方向に摺動可能に係合する締結具２５が設けられ、この締結具２５の軸心２６は、上記支持体４の長手方向に直交して水平方向に延びている。上記主梁１０の長手方向の所定間隔で、この主梁１０の上面に支持片２７が突設されている。これら各支持片２７に対し上記各締結具２５により上記各支持体４が取り付けられている。
【００３６】
上記支持体４は、この支持体４の長手方向に延びるよう形成された断面円形の掛止孔３０と、この掛止孔３０の長手方向の各部の内外をそれぞれ連通させるよう形成されたスリット３１とを有し、このスリット３１は、上記締結具２５の軸心２６の軸方向で、上記係合溝２４とは反対方向に開口している。
【００３７】
上記膜体６は、平面視（図３）で、矩形状をなしている。この膜体６の各端縁部５は袋縫いされており、その内部にロープで例示される可撓性の長尺材３４が挿入されている。これにより、上記膜体６の各端縁部５の厚さＤ１は、この膜体６の一般部の厚さよりも大きくされている。また、上記スリット３１の最小幅Ｗよりも上記膜体６の端縁部５の厚さＤ１が小さくされており、つまり、この膜体６の端縁部５は、上記スリット３１を通して上記掛止孔３０に挿入可能とされている。例えば、上記長尺材３４の直径は６ｍｍ、スリット３１の最小幅Ｗは６．５ｍｍとされる。
【００３８】
上記膜体６は、透光性を有するものであって、基材として天然繊維、合成繊維、無機繊維等による織物と、この織物の外面に施される塩化ビニル（ＰＶＣ）、ポリウレタン（ＰＵ）、エチレン・酢酸ビニル共重合体（ＥＶＡ）、フッ素樹脂などの合成樹脂からなるコーティング材とを備えているが、上記合成樹脂のみからなるシート材であってもよい。
【００３９】
断面が円形で上記スリット３１の最小幅Ｗよりも外径Ｄ２が大きくされ、上記膜体６の端縁部５よりも上記スリット３１側における上記掛止孔３０の部分に、上記支持体４の長手方向の端部側である上記掛止孔３０の長手方向の端部から挿入可能とされる長尺体３６が設けられている。この長尺体３６は、上記スリット３１を通し掛止孔３０から抜け出ることが不可とされている。また、上記長尺体３６により、上記膜体６の端縁部５が上記スリット３１を通し掛止孔３０から抜け出ることが防止されている。例えば、上記長尺体３６の外径Ｄ２は１０ｍｍとされる。なお、上記長尺体３６は可撓性のロープで構成されているが、ケーブル、ワイヤ、ゴム紐、チェーンなどであってもよい。
【００４０】
上記構造物本体３の各主梁１０をその外側方からそれぞれ覆う他の膜体３８が設けられている。この他の膜体３８は上記各主梁１０に沿って長く延びる帯形状をなし、その長手方向の各部は上下方向に延びている。互いに隣り合う上記他の膜体３８，３８のうち、一方の他の膜体３８の端部から一体的に延出する連結膜体４０が設けられる。この連結膜体４０は、他方の他の膜体３８の端部に面ファスナー４１により着脱可能に固着されて、上記両他の膜体３８，３８を互いに連結している。上記他の膜体３８と連結膜体４０との各材質は、上記膜体６のそれと同様である。
【００４１】
上記他の膜体３８の上側の端縁部３９は、上記長尺体３６により構成されている。具体的には、上記他の膜体３８の端縁部３９は袋縫いされており、その内部に上記長尺体３６が挿入され、上記他の膜体３８の端縁部３９の近傍部分が上記スリット３１を通過している。これにより、上記他の膜体３８の上側の端縁部３９が上記支持体４に支持されている。一方、上記他の膜体３８の下側の端縁部は自由端とされ、この他の膜体３８は上記支持体４に吊下されている。これにより、上記膜体６と他の膜体３８との離間距離は、上記スリット３１から離れるに従い大きくなることとされている。
【００４２】
図４，５において、上記各支持体４におけるある一つの支持体４（Ａ）とこれに隣接する他の支持体４（Ｂ）とに着目すれば、この他の支持体４（Ｂ）は、上記支持体４（Ａ）の長手方向の一端部側から、この長手方向とは平面視（図４）で９０°だけ異なる方向に延びている。上記支持体４（Ａ）に上記膜体６の端縁部５の一部分５ａが支持され、他部分５ｂは上記他の支持体４（Ｂ）に支持されている。
【００４３】
そして、前記ジャッキボルト２０は、その捻回により上昇させられて、このジャッキボルト２０の上端部の天板２１が上記膜体６の面方向の中央部を押し上げている。これにより、上記膜体６は、その各部に張力が与えられた状態で張設される。
【００４４】
上記膜構造物１の組立方法につき説明する。
【００４５】
まず、上記構造物本体３の上面に膜体６を展開させて載置する。この場合、上記ジャッキボルト２０は天板２１と共に予め下降させられている（図１，２中一点鎖線）。
【００４６】
次に、上記支持体４の長手方向の各部の外方、かつ、上記スリット３１の開口の外方に上記膜体６の端縁部５を位置させる（図１中一点鎖線）。
【００４７】
次に、上記支持体４の長手方向の各部の外方から上記膜体６の端縁部５を上記支持体４のスリット３１を通し掛止孔３０に挿入する。次に、上記膜体６の端縁部５よりも上記スリット３１側の上記掛止孔３０の部分に、この掛止孔３０の長手方向の端部から上記長尺体３６を挿入する（図１中二点鎖線）。この場合、上記掛止孔３０に挿入された上記膜体６の端縁部５と上記長尺体３６とは、それぞれ外力が与えられていない自由状態とされている。
【００４８】
次に、上記ジャッキボルト２０を天板２１と共に上昇させて上記膜体６の面方向の中央部に上方に向かう外力を与え、この中央部を押し上げる。この場合、上記膜体６の端縁部５と他の膜体３８の端縁部３９とが上記支持体４のスリット３１を通し掛止孔３０から外部に抜け出ることはそれぞれ上記長尺体３６により防止される。そして、上記膜体６の端縁部５と他の膜体３８の端縁部３９とはそれぞれ上記支持体４の掛止孔３０の内面に圧接されてこの支持体４に強固に支持される（図１中実線、図４，５）。これにより、上記膜体６は、その各部に張力が与えられた状態で張設されて、上記膜構造物１の組立作業が終了する。
【００４９】
上記構成によれば、長尺体３６を可撓性にしているため、次の効果が生じる。
【００５０】
即ち、上記膜構造物１の組立作業をする場合には、まず、上記支持体４の長手方向の各部の外方から上記膜体６の端縁部５を上記支持体４のスリット３１を通し掛止孔３０に挿入し、次に、上記掛止孔３０の部分にこの掛止孔３０の長手方向の端部から上記長尺体３６を挿入する。
【００５１】
ここで、上記構成によれば、長尺体３６は可撓性であるため、上記膜構造物１の組立作業において、上記掛止孔３０の部分にこの掛止孔３０の長手方向の端部から上記長尺体３６を挿入するときには、この長尺体３６を予め小さい体積の塊となるよう纏めておき、その一端部から上記掛止孔３０の部分に挿入させてやればよい。よって、上記掛止孔３０の部分に長尺体３６を挿入させるときのこの長尺体３６の占有空間を小さく抑制できると共に、この長尺体３６を取り扱うための作業動作は小さくて足りることから、上記膜構造物１の組立作業は容易にできる。
【００５２】
また、前記したように、長尺体３６により端縁部３９が構成される他の膜体３８を設け、この他の膜体３８の端縁部３９の近傍部分が上記スリット３１を通過するようにしている。
【００５３】
このため、上記膜体６と他の膜体３８との支持のために、一つの支持体４が兼用される。よって、その分、膜構造物１の構成を簡単にできると共に、膜構造物１の組立作業が、より容易にできる。
【００５４】
また、前記したように、膜体６と他の膜体３８との離間距離を上記スリット３１から離れるに従い大きくなるようにしている。
【００５５】
このため、上記膜体６と他の膜体３８とを連続的に張設可能であることから、全体として面積が大きい膜構造物１を容易に得ることができる。
【００５６】
また、前記したように、膜構造物の組立方法であって、
まず、上記支持体４の長手方向の各部の外方から、上記膜体６の端縁部５を上記支持体４のスリット３１を通し掛止孔３０に挿入し、次に、上記膜体６の端縁部５よりも上記スリット３１側の上記掛止孔３０の部分にこの掛止孔３０の長手方向の端部から上記長尺体３６を挿入するようにしている。
【００５７】
このため、上記した膜構造物１の組立方法において、上記掛止孔３０の部分にこの掛止孔３０の長手方向の端部から上記長尺体３６を挿入するときには、まず、上記支持体４の外部で上記他の膜体３８を把持してこの他の膜体３８の端縁部３９の近傍部分を上記スリット３１に挿入すると共に、上記長尺体３６の端部を上記掛止孔３０の端部に挿入し、次に、上記のように把持した他の膜体３８と共に長尺体３６を上記掛止孔３０の長手方向に向かって移動させてやればよい。よって、上記掛止孔３０の部分への上記長尺体３６の挿入と、その進行とが容易にできることから、その分、膜構造物１の組立作業は更に容易にできる。
【００５８】
以下の図６は、実施例２を示している。この実施例２は、前記実施例１と構成、作用効果において多くの点で共通している。そこで、これら共通するものについては、図面に共通の符号を付してその重複した説明を省略し、異なる点につき主に説明する。また、これら実施例における各部分の構成を、本発明の目的、作用効果に照らして種々組み合せてもよい。
【実施例２】
【００５９】
本発明をより詳細に説明するために、その実施例２を添付の図６に従って説明する。
【００６０】
図６において、上記掛止孔３０に挿入された上記膜体６の端縁部５と上記長尺体３６とのそれぞれ自由状態（図６中二点鎖線）で、上記膜体６の端縁部５の近傍部分を挟み、互いに平行に延びて互いに離れて対面する上記掛止孔３０の内面の部分と上記長尺体３６の外面の部分との間の最大隙間幅Ｃが上記膜体６の端縁部５の厚さＤ１よりも小さくなることとされている。具体的には、上記した互いに対面する掛止孔３０の内面の部分と長尺体３６の外面の部分とは、この長尺体３６の軸心を通り上記掛止孔３０の内面の部分に直交する線上に位置している。
【００６１】
このため、膜構造物１の組立作業において、前記したように膜体６の端縁部５を支持体４のスリット３１を通し掛止孔３０に挿入し、次に、この掛止孔３０の部分にその長手方向の端部から上記長尺体３６を挿入し、この挿入を進行させる場合に、上記掛止孔３０内で膜体６の端縁部５が長尺体３６よりもスリット３１側に不意に入れ替わることは上記長尺体３６の存在により防止される。よって、上記した掛止孔３０への長尺体３６の挿入の進行中に、上記膜体６の端縁部５が上記スリット３１側に不意に入れ替わってこのスリット３１を通し掛止孔３０の外部に抜け出してしまう、ということは確実に防止され、このため、上記膜構造物１の組立作業は、より容易にできる。
【００６２】
また、上記支持体４の横断面視（図６）で、上記締結具２５の軸心２６に対し上記スリット３１の開口の中心４３は偏位させられている。
【００６３】
このため、上記構造物本体３の各所に対し支持体４により膜体６の端縁部５と他の膜体３８の端縁部３９とを支持させる場合に、締結具２５の軸心２６と支持体４のスリット３１の開口の中心４３との関連構成につき、より好ましいものを選択できる。よって、上記構造物本体３の各部の種々構造にかかわらず、膜構造物１の組立作業をより容易にできたり、膜構造物１の膜体６の外観上の見栄えをより向上させたりすることができる。
【符号の説明】
【００６４】
１    膜構造物
２    地面
３    構造物本体
４    支持体
５    端縁部
５ａ  一部分
５ｂ  他部分
６    膜体
２４  係合溝
２５  締結具
２６  軸心
２７  支持片
３０  掛止孔
３１  スリット
３６  長尺体
３８  膜体
３９  端縁部
４３  中心
Ｄ１  厚さ
Ｄ２  外径
Ｃ    最大隙間幅
Ｗ    最小幅
【図１】
2013096202.tif 000003
【図２】
2013096202.tif 000004
【図３】
2013096202.tif 000005
【図４】
2013096202.tif 000006
【図５】
2013096202.tif 000007
【図６】
2013096202.tif 000008
【手続補正書】
【提出日】平成23年11月16日(2011.11.16)
【手続補正１】
【補正対象書類名】図面
【補正対象項目名】全図
【補正方法】変更
【補正の内容】
【図１】
2013096202.tif 000009
【図２】
2013096202.tif 000010
【図３】
2013096202.tif 000011
【図４】
2013096202.tif 000012
【図５】
2013096202.tif 000013
【図６】
2013096202.tif 000014